【手続補正書】
【提出日】平成21年2月23日(2009.2.23)
【手続補正１】
【補正対象書類名】特許請求の範囲
【補正対象項目名】全文
【補正方法】変更
【補正の内容】
【特許請求の範囲】
【請求項１】
太陽電池セルを有し外形が多角形状で平板状の太陽電池パネル本体と、該太陽電池パネル本体の周辺で少なくとも一対の対向する辺に夫々固定されるフレームを備えた太陽電池モジュールを、該太陽電池モジュールの対向する夫々の辺の前記フレームに夫々固定部材を接合した上で該固定部材を所定の支持部材に支持させることで、前記太陽電池モジュールを前記支持部材に固定する太陽電池モジュールの固定構造であって、
前記フレームは、
一側面側に開口し前記太陽電池パネル本体の辺縁が挿入支持される挿入支持部と、該挿入支持部の下側に配置され前記一側面側とは反対側の他側面側に開口する接合部と、該接合部の下側に配置されると共に前記他側面側に開口し上側へ突出する係合突部とを有し、同一断面形状で長尺状に形成され、
前記固定部材は、
前記フレームの前記接合部内に挿入可能とされ互いに離反する方向へ延びるように配置された一対の被接合部と、一対の該被接合部の間から下方へ延びる立下り部と、該立下り部の下端に配置され前記フレームの底部を載置可能な台座部と、該台座部と前記被接合部との間で前記立下り部から前記被接合部の一方と同じ方向へ延び先端に下側へ突出し前記フレームの前記係合突部と係合する被係合突部を備えた係合片と、前記台座部の下面と同一面の下面とされ前記係合片の延びる方向とは反対方向へ延び前記支持部材に固定するための固定部とを有し、同一断面形状で前記フレームよりも短く形成されており、
前記固定部材が前記フレームに対してスライド可能とされ、前記固定部材によって、前記支持部材の延びる方向に配置された二つの前記太陽電池モジュールの近接する前記フレーム同士が互いに接した状態で、前記太陽電池モジュール同士が略同一面状となるように接合すると共に、一方の前記太陽電池モジュールが前記フレームの延びる方向に対して直角方向へ移動するのを規制し、前記固定部材が他方の前記太陽電池モジュールの下側で前記支持部材へ固定されることを特徴とする太陽電池モジュールの固定構造。
【請求項２】
他方の前記太陽電池モジュールは、前記固定部材を挟んで勾配屋根における棟側に配置された前記太陽電池モジュールであることを特徴とする請求項１に記載の太陽電池モジュールの固定構造。
【請求項３】
前記フレームは、前記接合部の開口側上部が傾斜していると共に、
前記固定部材は、前記被接合部の先端下側が傾斜していることを特徴とする請求項１又は請求項２に記載の太陽電池モジュールの固定構造。
【請求項４】
前記太陽電池パネル本体の周辺で前記フレームが固定された辺とは異なる辺に固定され端部に前記固定部材が通過可能な切欠きが形成された側面フレームと、該側面フレームの前記切欠きを覆い前記フレームに固定される側面キャップとを更に備え、
該側面キャップを外すことで、前記固定部材を前記支持部材に支持させた状態で、前記固定部材により固定された前記太陽電池モジュールを、前記フレームの延びる方向へスライドさせて前記固定部材から前記太陽電池モジュールを外せるようにしたことを特徴とする請求項１から請求項３までの何れか一つに記載の太陽電池モジュールの固定構造。
【請求項５】
互いに離反する方向へ延びるように配置された一対の被接合部と、一対の該被接合部の間から下方へ延びる立下り部と、該立下り部の下端に配置された台座部と、該台座部と前記被接合部との間で前記立下り部から前記被接合部の一方と同じ方向へ延び先端に下側へ突出する被係合突部を備えた係合片と、前記台座部の下面と同一面の下面とされ前記係合片の延びる方向とは反対方向へ延び所定の支持部材に固定するための固定部とを有し、同一断面形状で所定長さに形成されている太陽電池モジュール用の固定部材により前記支持部材に固定可能とされ、前記太陽電池モジュールにおける太陽電池セルを有し外形が多角形状で平板状の太陽電池パネル本体の周辺で少なくとも一対の対向する辺に固定される太陽電池モジュール用のフレームであって、
一側面側に開口し前記太陽電池パネル本体の辺縁が挿入支持される挿入支持部と、
該挿入支持部の下側に配置され前記一側面側とは反対側の他側面側に開口し、前記固定部材の前記被接合部が挿入される接合部と、
該接合部の下側に配置されると共に前記他側面側に開口し上側へ突出する係合突部と
を有し、底部が前記固定部材の前記台座部に載置され、同一断面形状で前記固定部材よりも長尺に形成されていることを特徴とするフレーム。
【請求項６】
太陽電池モジュールにおける太陽電池セルを有し外形が多角形状で平板状の太陽電池パネル本体の周辺で少なくとも一対の対向する辺に固定され、一側面側に開口し前記太陽電池パネル本体の辺縁が挿入支持される挿入支持部と、該挿入支持部の下側に配置され前記一側面側とは反対側の他側面側に開口する接合部と、該接合部の下側に配置されると共に前記他側面側に開口し上側へ突出する係合突部とを有し、同一断面形状で長尺状に形成されている太陽電池モジュール用のフレームを介して前記太陽電池モジュールを所定の支持部材に固定するための太陽電池モジュール用の固定部材であって、
前記フレームの前記接合部内に挿入可能とされ互いに離反する方向へ延びるように配置された一対の被接合部と、
一対の該被接合部の間から下方へ延びる立下り部と、
該立下り部の下端に配置され前記フレームの底部を載置可能な台座部と、
該台座部と前記被接合部との間で前記立下り部から前記被接合部の一方と同じ方向へ延び先端に下側へ突出し前記フレームの前記係合突部と係合する被係合突部を備えた係合片と、
前記台座部の下面と同一面の下面とされ前記係合片の延びる方向とは反対方向へ延び前記支持部材に固定するための固定部と
を有し、同一断面形状で前記フレームよりも短く形成されていることを特徴とする固定部材。
【請求項７】
前記固定部材は、
前記台座部が、前記接合部の延びる長さよりも長く延びていることを特徴とする請求項６に記載の固定部材。
【請求項８】
前記固定部材は、
前記台座部が、前記フレームの下面と前記支持部材との間で、前記太陽電池パネル本体に接続されるモジュール間ケーブルを通過可能な隙間を形成することができる高さであり、
前記太陽電池モジュール本体の上面が、前記支持部材上に載置される屋根材と略同じ高さとなる高さまでの調節を可能とすることを特徴とする請求項６又は請求項７に記載の固定部材。
【手続補正２】
【補正対象書類名】明細書
【補正対象項目名】０００９
【補正方法】変更
【補正の内容】
【０００９】
本発明に係る太陽電池モジュールの固定構造は、「太陽電池セルを有し外形が多角形状で平板状の太陽電池パネル本体と、該太陽電池パネル本体の周辺で少なくとも一対の対向する辺に夫々固定されるフレームを備えた太陽電池モジュールを、該太陽電池モジュールの対向する夫々の辺の前記フレームに夫々固定部材を接合した上で該固定部材を所定の支持部材に支持させることで、前記太陽電池モジュールを前記支持部材に固定する太陽電池モジュールの固定構造であって、前記フレームは、一側面側に開口し前記太陽電池パネル本体の辺縁が挿入支持される挿入支持部と、該挿入支持部の下側に配置され前記一側面側とは反対側の他側面側に開口する接合部と、該接合部の下側に配置されると共に前記他側面側に開口し上側へ突出する係合突部とを有し、同一断面形状で長尺状に形成され、前記固定部材は、前記フレームの前記接合部内に挿入可能とされ互いに離反する方向へ延びるように配置された一対の被接合部と、一対の該被接合部の間から下方へ延びる立下り部と、該立下り部の下端に配置され前記フレームの底部を載置可能な台座部と、該台座部と前記被接合部との間で前記立下り部から前記被接合部の一方と同じ方向へ延び先端に下側へ突出し前記フレームの前記係合突部と係合する被係合突部を備えた係合片と、前記台座部の下面と同一面の下面とされ前記係合片の延びる方向とは反対方向へ延び前記支持部材に固定するための固定部とを有し、同一断面形状で前記フレームよりも短く形成されており、前記固定部材が前記フレームに対してスライド可能とされ、前記固定部材によって、前記支持部材の延びる方向に配置された二つの前記太陽電池モジュールの近接する前記フレーム同士が互いに接した状態で、前記太陽電池モジュール同士が略同一面状となるように接合すると共に、一方の前記太陽電池モジュールが前記フレームの延びる方向に対して直角方向へ移動するのを規制し、前記固定部材が他方の前記太陽電池モジュールの下側で前記支持部材へ固定される」ものであることを特徴とする。
【手続補正３】
【補正対象書類名】明細書
【補正対象項目名】００２０
【補正方法】削除
【補正の内容】
【手続補正４】
【補正対象書類名】明細書
【補正対象項目名】００３２
【補正方法】変更
【補正の内容】
【００３２】
本発明に係る太陽電池モジュール用のフレームは、「互いに離反する方向へ延びるように配置された一対の被接合部と、一対の該被接合部の間から下方へ延びる立下り部と、該立下り部の下端に配置された台座部と、該台座部と前記被接合部との間で前記立下り部から前記被接合部の一方と同じ方向へ延び先端に下側へ突出する被係合突部を備えた係合片と、前記台座部の下面と同一面の下面とされ前記係合片の延びる方向とは反対方向へ延び所定の支持部材に固定するための固定部とを有し、同一断面形状で所定長さに形成されている太陽電池モジュール用の固定部材により前記支持部材に固定可能とされ、前記太陽電池モジュールにおける太陽電池セルを有し外形が多角形状で平板状の太陽電池パネル本体の周辺で少なくとも一対の対向する辺に固定される太陽電池モジュール用のフレームであって、一側面側に開口し前記太陽電池パネル本体の辺縁が挿入支持される挿入支持部と、該挿入支持部の下側に配置され前記一側面側とは反対側の他側面側に開口する接合部と、該接合部の下側に配置されると共に前記他側面側に開口し上側へ突出する係合突部とを有し、同一断面形状で長尺状に形成されている」ものであることを特徴とする。
【手続補正５】
【補正対象書類名】明細書
【補正対象項目名】００３５
【補正方法】変更
【補正の内容】
【００３５】
本発明に係る太陽電池モジュール用の固定部材は、「太陽電池モジュールにおける太陽電池セルを有し外形が多角形状で平板状の太陽電池パネル本体の周辺で少なくとも一対の対向する辺に固定され、一側面側に開口し前記太陽電池パネル本体の辺縁が挿入支持される挿入支持部と、該挿入支持部の下側に配置され前記一側面側とは反対側の他側面側に開口する接合部と、該接合部の下側に配置されると共に前記他側面側に開口し上側へ突出する係合突部とを有し、同一断面形状で長尺状に形成されている太陽電池モジュール用のフレームを介して前記太陽電池モジュールを所定の支持部材に固定するための太陽電池モジュール用の固定部材であって、前記フレームの前記接合部内に挿入可能とされ互いに離反する方向へ延びるように配置された一対の被接合部と、一対の該接合部の間から下方へ延びる立下り部と、該立下り部の下端に配置され前記フレームの底部を載置可能な台座部と、該台座部と前記被接合部との間で前記立下り部から前記被接合部の一方と同じ方向へ延び先端に下側へ突出し前記フレームの前記係合突部と係合する被係合突部を備えた係合片と、前記台座部の下面と同一面の下面とされ前記係合片の延びる方向とは反対方向へ延び前記支持部材に固定するための固定部とを有し、同一断面形状で前記フレームよりも短く形成されている」ものであることを特徴とする。